(57)【要約】【課題】建物内の２４時間換気における給気の運転音を抑制可能な換気システムを得ること。【解決手段】建物の外から吸い込んだ外気を建物の内部の室内へ送り出す給気を行う給気側送風機３３と、前記室内から吸い込んだ室内空気を前記建物の外へ送り出す排気を行う排気側送風機３２とを備えて、前記給気と前記排気とを独立して同時に実行して常時換気を継続的に行う換気装置と、前記換気装置における前記給気および前記排気を制御する制御装置と、を備え、前記制御装置は、前記給気用送風機３３が第１の回転数で前記常時換気を行っている状態において、前記給気用送風機３３の回転数を前記第１の回転数よりも少ない回転数である第２の回転数に切り替える回転数低減制御３３を行う。【選択図】図１
2016020780.tif 000002
【特許請求の範囲】
【請求項１】
建物の外から吸い込んだ外気を建物の内部の室内へ送り出す給気を行う給気用送風機と、前記室内から吸い込んだ室内空気を前記建物の外へ送り出す排気を行う排気用送風機とを備えて、前記給気と前記排気とを独立して同時に実行して常時換気を継続的に行う換気装置と、
前記換気装置における前記給気および前記排気を制御する制御装置と、
を備え、
前記制御装置は、前記給気用送風機が第１の回転数で前記常時換気を行っている状態において、前記給気用送風機の回転数を前記第１の回転数よりも少ない回転数である第２の回転数に切り替える回転数低減制御を行うこと、
を特徴とする換気システム。
【請求項２】
前記制御装置は、前記回転数低減制御を指示する回転数低減指示情報を保持し、前記回転数低減指示情報に基づいて、前記回転数低減指示情報に含まれる回転数低減開始時刻に前記回転数低減制御を行うこと、
を特徴とする請求項１に記載の換気システム。
【請求項３】
前記制御装置は、前記給気用送風機が前記第２の回転数で前記常時換気を行っている状態において、前記給気用送風機の回転数を前記第２の回転数から前記第１の回転数に切り替える回転数復帰制御を行うこと、
を特徴とする請求項１または２に記載の換気システム。
【請求項４】
前記制御装置は、前記回転数復帰制御を指示する回転数復帰指示情報を保持し、前記回転数復帰指示情報に基づいて、前記回転数復帰指示情報に含まれる回転数復帰時刻に前記回転数復帰制御を行うこと、
を特徴とする請求項３に記載の換気システム。
【請求項５】
前記制御装置は、前記回転数復帰制御を指示する回転数復帰指示情報を保持し、前記回転数復帰指示情報に基づいて、前記給気用送風機が前記第２の回転数で前記常時換気を開始してから、前記回転数復帰指示情報に含まれて前記給気用送風機における前記第２の回転数での給気の継続時間を指定する回転数低減継続時間の経過後に前記回転数復帰制御を行うこと、
を特徴とする請求項３に記載の換気システム。
【請求項６】
前記制御装置は、前記制御装置から離れた位置にある遠隔操作機器から通信により前記回転数低減指示情報を取得すること、
を特徴とする請求項２に記載の換気システム。
【請求項７】
前記制御装置は、前記制御装置から離れた位置にある遠隔操作機器から通信により前記回転数復帰指示情報を取得すること、
を特徴とする請求項４または５に記載の換気システム。
【請求項８】
前記建物の外から前記室内への外気の給気の実施または停止を行う吸気部を備え、
前記吸気部は、前記換気装置が第２の回転数で給気を行う場合に、前記建物の外から前記室内への外気の給気を行うこと、
を特徴とする請求項１から６のいずれか１つに記載の換気システム。
【発明の詳細な説明】
【技術分野】
【０００１】
本発明は、給気と排気とを同時に行って建物内の２４時間換気を行うことが可能な換気装置を備えた換気システムに関する。
【背景技術】
【０００２】
近年、消費者の環境への意識の高まりと、利便性に優れた携帯電話またはタブレット端末などの遠隔操作機器の普及とにより、該遠隔操作機器から宅内の設備機器を一括制御および監視できる設備機器管理システムの需要が高まりつつある。該設備機器管理システムは、たとえばスマートハウス、ＨＥＭＳ（Home  Energy  Management  System）、ＭＥＭＳ（Mansion  Energy  Management  System）およびＢＥＭＳ（Building  Energy  Management  System）が挙げられる。
【０００３】
設備機器管理システムでは、住宅の設備機器を、該設備機器の使用シーンに合わせて一括制御することができる。また、設備機器管理システムでは、可動している設備機器の電力および運転状態をユーザの手元で監視することで設備機器の無駄な使用を抑制でき、省エネルギーの効果が得られる。
【０００４】
換気設備においても例外ではなく、使用シーンに合わせた給排気の適切な自動制御により換気設備の過稼働を抑えた省エネルギー効果の向上が求められている。たとえば特許文献１には、熱交換を行う同時給排気型換気装置において、外気温度を検知する外気温度検知装置を備え、外気温度が予め設定された設定温度になると、給気用の送風機を停止するか、または、給気用送風機の回転数を減らす制御を行う換気装置が開示されている。
【先行技術文献】
【特許文献】
【０００５】
【特許文献１】特開２０１０−２２３４８６号公報
【発明の概要】
【発明が解決しようとする課題】
【０００６】
しかしながら、建物内の２４時間換気を行う２４時間換気システムの場合には、給気は建物内のリビングダイニングキッチン、寝室または子供部屋などの個室に供給することが多い。２４時間換気の場合、夜間における寝室または子供部屋などの個室のように静かな空間では、給気の運転騒音が原因で睡眠の妨げとなる問題が生じる可能性がある。給気の運転音に起因した騒音問題は、外気温度の検知による給気制御のみでは解決することは難しく、生活使用シーンに合わせた適切な制御が望まれている。
【０００７】
本発明は、上記に鑑みてなされたものであって、建物内の２４時間換気における給気の運転音を抑制可能な換気システムを得ることを目的とする。
【課題を解決するための手段】
【０００８】
上述した課題を解決し、目的を達成するために、本発明にかかる換気システムは、建物の外から吸い込んだ外気を建物の内部の室内へ送り出す給気を行う給気用送風機と、前記室内から吸い込んだ室内空気を前記建物の外へ送り出す排気を行う排気用送風機とを備えて、前記給気と前記排気とを独立して同時に実行して常時換気を継続的に行う換気装置と、前記換気装置における前記給気および前記排気を制御する制御装置と、を備え、前記制御装置は、前記給気用送風機が第１の回転数で前記常時換気を行っている状態において、前記給気用送風機の回転数を前記第１の回転数よりも少ない回転数である第２の回転数に切り替える回転数低減制御を行うこと、を特徴とする。
【発明の効果】
【０００９】
本発明によれば、建物内の２４時間換気における給気の運転音を抑制可能な換気システムが得られる、という効果を奏する。
【図面の簡単な説明】
【００１０】
【図１】図１は、本発明の実施の形態にかかる換気システムの構成を示すブロック図である。
【図２】図２は、本発明の実施の形態にかかる換気システムの一般家庭住宅における構成例を示す図である。
【図３】図３は、本発明の実施の形態にかかる換気システムの通信網を示す図である。
【図４】図４は、図２に示す換気システムの動作の手順を示すフローチャートである。
【図５】図５は、遠隔操作機器による換気システムの給気「弱」運転の設定方法を示す図である。
【図６】図６は、熱交換換気装置の設定画面の他の構成例を示す図である。
【発明を実施するための形態】
【００１１】
以下に、本発明にかかる換気システムの実施の形態を図面に基づいて詳細に説明する。なお、本発明は以下の記述に限定されるものではなく、本発明の要旨を逸脱しない範囲において適宜変更可能である。また、以下に示す図面においては、理解の容易のため、各部材の縮尺が実際とは異なる場合がある。
【００１２】
実施の形態１．
図１は、本発明の実施の形態にかかる換気システムの構成を示すブロック図である。本実施の形態にかかる換気システムは、遠隔操作機器１０と、宅内設備機器集中管理装置２０と、熱交換換気装置３０と、シャッター付き吸気部４０と、宅内無線ライン５０と、公共無線ライン６０と、宅内通信ライン７０と、を有している。
【００１３】
遠隔操作機器１０は、たとえば携帯電話またはタブレットなどの携帯機器である。遠隔操作機器１０は、宅内設備機器の運転、停止または風量の調整などの操作を行うための指示情報が入力され、該指示情報を宅内設備機器集中管理装置２０に送信する機能を有する。宅内設備機器は、建物内に配置された各種電子機器であり、ここでは、熱交換換気装置３０とシャッター付き吸気部４０とが例示される。また、熱交換換気装置３０とシャッター付き吸気部４０と以外の宅内設備機器には、空調設備、サニタリー排気装置などの電子機器が挙げられる。遠隔操作機器１０は、入力部１１と、表示部１２と、通信部１３と、制御部１４とを有する。入力部１１と表示部１２と通信部１３と制御部１４とは、互いに通信可能に接続されている。
【００１４】
入力部１１は、使用者が宅内設備機器の運転、停止または風量の調整などの操作を行うための指示情報を入力する入力手段である。本実施の形態では、回転数変更指示情報である回転数低減指示情報がユーザにより入力部１１から遠隔操作機器１０に入力される。回転数低減指示情報は、常時換気時の既定の第１の回転数よりも少ない回転数である第２の回転数での、熱交換換気装置３０の給気側送風機３３における熱交換給気運転を指示する指示情報である。換言すると、回転数低減指示情報は、既定の第１の風量よりも少ない風量である第２の風量での給気側送風機３３における熱交換給気運転を指示する指示情報である。以下、給気側送風機３３における第２の回転数での熱交換給気運転、すなわち給気側送風機３３における第２の風量での熱交換給気運転を、給気「弱」運転と呼ぶ場合がある。
【００１５】
ここで、第１の回転数は、在室者が居ない場合または夜間においても熱交換換気装置３０が小風量で行う通常の常時換気における、熱交換換気装置３０の給気側送風機３３の回転数であり、あらかじめ宅内設備機器集中管理装置２０または熱交換換気装置３０の制御部３６に設定されている。一方、第２の回転数は、熱交換換気装置３０の常時換気において第１の回転数よりも少ない回転数で熱交換給気を行う場合における、熱交換換気装置３０の給気側送風機３３の回転数である。第１の風量は、熱交換換気装置３０の給気側送風機３３が第１の回転数で運転する際の給気の風量である。第２の風量は、熱交換換気装置３０の給気側送風機３３が第２の回転数で運転する際の給気の風量である。回転数低減指示情報には、熱交換換気装置３０の給気側送風機３３が第１の回転数で常時換気を行っている状態において給気側送風機３３の回転数を第１の回転数から第２の回転数に切り替える回転数低減制御を行う時刻である回転数低減開始時刻の情報が含まれている。
【００１６】
また、本実施の形態では、回転数変更指示情報である回転数復帰指示情報がユーザにより入力部１１から遠隔操作機器１０に入力される。回転数復帰指示情報は、回転数低減指示情報に基づいて第２の回転数での熱交換給気運転を行っている熱交換換気装置３０に対して、第１の回転数での熱交換給気運転を指示する指示情報である。すなわち、回転数復帰指示情報は、第１の回転数よりも少ない回転数である第２の回転数での熱交換給気運転を解除し、熱交換給気における熱交換換気装置３０の給気側送風機３３の回転数を通常の常時換気運転の状態に復帰させる指示情報である。
【００１７】
回転数復帰指示情報には、熱交換換気装置３０の給気側送風機３３が第２の回転数で常時換気を行っている状態において給気側送風機３３の回転数を第２の回転数から第１の回転数に切り替える回転数復帰制御を行う時刻である回転数復帰時刻の情報が含まれている。また、回転数復帰指示情報には、熱交換換気装置３０の給気側送風機３３が第２の回転数で常時換気を開始してから、給気側送風機３３における第２の回転数での給気の継続時間を指定する回転数低減継続時間の情報が含まれてもよい。熱交換換気装置３０の給気側送風機３３は、回転数低減継続時間だけ第２の回転数での熱交換給気運転を行った後に、第２の回転数での熱交換給気運転を解除し、熱交換給気の回転数を通常の常時換気運転の状態である第１の回転数に復帰させる制御が行われる。
【００１８】
表示部１２は、宅内設備機器の運転状況または遠隔操作機器１０に入力された情報など、宅内設備機器の制御または監視に必要な各種情報を表示する表示手段である。通信部１３は、宅内設備機器集中管理装置２０との間で、建物内の複数の宅内設備機器の制御または監視に必要な各種情報の通信を、宅内無線ライン５０または公共無線ライン６０を介して行う。制御部１４は、遠隔操作機器１０全体の動作を制御する。
【００１９】
宅内設備機器集中管理装置２０は、建物内の複数の宅内設備機器の運転、停止または風量の調整などの動作を、遠隔管理により制御する。宅内設備機器集中管理装置２０は、通信部２１と、制御部２２とを有する。宅内設備機器集中管理装置２０は、ＨＥＭＳに相当する。ただし、本実施の形態では、宅内設備機器集中管理装置２０におけるＨＥＭＳの機能のうち換気設備に関する制御についてのみを示している。
【００２０】
通信部２１は、遠隔操作機器１０との間で、宅内設備機器の制御または監視に必要な各種情報の通信を、宅内無線ライン５０または公共無線ライン６０を介して行う。また、通信部２１は、建物内の複数の宅内設備機器との間で、該宅内設備機器の制御または監視に必要な各種情報の通信を、宅内通信ライン７０を介して行う。制御部２２は、遠隔操作機器１０から宅内無線ライン５０または公共無線ライン６０を介して送信される情報に基づいて、または該制御部２２にあらかじめ設定された情報に基づいて、宅内設備機器の制御または監視に必要な各種処理を制御する。制御部２２は、たとえば遠隔操作機器１０から受信した回転数変更指示情報に基づいて、熱交換換気装置３０における給気を制御する。また、制御部２２は、宅内設備機器集中管理装置２０全体の動作を制御する。
【００２１】
熱交換換気装置３０の給気側送風機３３が第１の回転数で常時換気運転を行っている状態において、制御部２２は、遠隔操作機器１０から入力される回転数低減指示情報に基づいて、熱交換換気装置３０の給気側送風機３３の回転数を第２の回転数に低減させる制御を行うことができる。すなわち、制御部２２は、熱交換換気装置３０の給気側送風機３３の回転数を第１の回転数よりも少ない回転数である第２の回転数とするように、給気側送風機３３の運転状態を切り替える回転数低減制御を行うことができる。
【００２２】
換言すると、熱交換換気装置３０が既定の第１の風量で常時換気運転を行っている状態において、制御部２２は、遠隔操作機器１０から入力される回転数低減指示情報に基づいて、給気側送風機３３の風量を低減させる制御を行う。すなわち、制御部２２は、給気側送風機３３の風量を第１の風量よりも少ない風量である第２の風量とするように、給気側送風機３３の運転状態を切り替える回転数低減制御を行う。制御部２２は、回転数低減制御を、回転数低減指示情報に含まれる回転数低減開始時刻に行う。
【００２３】
また、熱交換換気装置３０が回転数低減指示情報に基づいて給気側送風機３３の回転数を低減して第２の回転数で熱交換給気運転している状態において、制御部２２は、遠隔操作機器１０から入力される回転数復帰指示情報に基づいて、熱交換換気装置３０の給気側送風機３３の回転数の低減状態を解除し、給気側送風機３３の回転数を通常の常時換気運転の状態に復帰させる制御を行う。すなわち、制御部２２は、給気側送風機３３の回転数を第２の回転数から第１の回転数とするように、給気側送風機３３の運転状態を切り替える回転数復帰制御を行う。
【００２４】
換言すると、熱交換換気装置３０が回転数低減指示情報に基づいて給気側送風機３３の風量を低減して第２の風量で熱交換給気運転している状態において、制御部２２は、遠隔操作機器１０から入力される回転数復帰指示情報に基づいて、熱交換給気の給気風量の低減状態を解除し、給気側送風機３３の風量を通常の常時換気運転の状態に復帰させる回転数復帰制御を行う。すなわち、制御部２２は、給気側送風機３３の風量を第２の風量から第１の風量とするように、給気側送風機３３の運転状態を切り替える回転数復帰制御を行う。
【００２５】
制御部２２は、回転数復帰指示情報に基づいて熱交換給気の風量を第２の風量から第１の風量へ切り替える回転数復帰制御を、回転数復帰指示情報に含まれる回転数復帰時刻に行うことができる。
【００２６】
また、制御部２２は、回転数復帰指示情報に基づいて熱交換給気を第２の風量から第１の風量へ切り替える回転数復帰制御を、回転数復帰指示情報に含まれる回転数低減継続時間の経過後に行うことができる。したがって、制御部２２は、回転数低減継続時間の経過後、すなわち熱交換換気装置３０の給気側送風機３３が該低減継続時間だけ第２の回転数での熱交換給気運転を行った後に、給気側送風機３３における第２の回転数での熱交換給気運転を解除して給気側送風機３３の回転数を通常の常時換気運転の状態に復帰させることができる。
【００２７】
上記のような給気側送風機３３の回転数の変更処理、すなわち給気側送風機３３の給気風量の変更処理は、制御部２２が、回転数低減指示情報および回転数復帰指示情報に基づいて熱交換換気装置３０を制御することによって行われる。一方、熱交換換気装置３０の排気側送風機３２については、停止または回転数が低減されることはない。
【００２８】
また、制御部２２は、熱交換換気装置３０の給気側送風機３３に対して回転数低減制御を行った場合に、回転数低減指示情報に基づいてシャッター付き吸気部４０の開閉処理部４２のシャッターを開いて吸気口４１を建物の外部に開放させる制御を行う。また、制御部２２は、熱交換換気装置３０の給気側送風機３３に対して回転数復帰制御を行った場合に、回転数復帰指示情報に基づいてシャッター付き吸気部４０の開閉処理部４２のシャッターを閉じて吸気口４１を閉鎖する制御を行う。
【００２９】
すなわち、制御部２２は、回転数低減開始時刻にシャッター付き吸気部４０の開閉処理部４２のシャッターを開いて吸気口４１を建物の外部に開放させる制御を行う。また、制御部２２は、回転数復帰時刻にシャッター付き吸気部４０の開閉処理部４２のシャッターを閉じて吸気口４１を閉鎖する制御を行う。
【００３０】
熱交換換気装置３０は、熱交換器３１と、排気側送風機３２と、給気側送風機３３と、熱交換器操作スイッチ３４と、通信部３５と、制御部３６とを有している。熱交換換気装置３０は、たとえば建物の廊下の天井裏または廊下の天井面の裏側などの室内以外のスペースに配置される。
【００３１】
熱交換器３１は、建物外から熱交換換気装置３０を介して建物内に導入される外気と、建物内の室内から熱交換換気装置３０を介して建物外に排出される室内空気との間で熱交換を行う。すなわち、熱交換器３１は、建物外から吸い込んだ外気と建物内の室内から吸い込んだ室内空気との間で熱交換を行う。熱交換換気装置３０は、建物の外部まで配設されて建物外に連通したダクトからなる第１給気風路部に接続されている。また、熱交換換気装置３０は、１または複数の室内まで配設されて該室内に連通したダクトからなる第２給気風路部に接続されている。熱交換換気装置３０は、建物の外部まで配設されて建物外に連通したダクトからなる第１排気風路部に接続されている。また、熱交換換気装置３０は、１または複数の室内まで配設されて該室内に連通したダクトからなる第２排気風路部に接続されている。
【００３２】
排気側送風機３２は、建物内の室内から室内空気を吸い込むとともに熱交換後の室内空気を建物の外側へ送り出して排出する熱交換排気のための送風を行う送風機である。排気側送風機３２は、室内の空気を継続的に排気することが可能な換気装置の機能を有する。給気側送風機３３は、建物外から外気を吸い込むとともに熱交換後の外気を室内へ送り出す熱交換給気のための送風を行う送風機である。給気側送風機３３は、建物内に新鮮な空気を継続的に給気することが可能な換気装置の機能を有する。
【００３３】
熱交換器操作スイッチ３４は、使用者が熱交換換気装置３０の運転、停止または風量の調整などの操作を行うための指示情報を入力するスイッチであり、建物内の任意の部屋に配置される。なお、本実施の形態では、熱交換換気装置３０の運転、停止または風量の調整などの操作を行うための指示情報は、遠隔操作機器１０によっても入力可能である。そして、遠隔操作機器１０によって入力された指示情報は宅内設備機器集中管理装置２０を介して熱交換換気装置３０の通信部３５に入力される。熱交換換気装置３０の通信部３５に入力された指示情報は、熱交換換気装置３０の制御部３６に入力される。
【００３４】
通信部３５は、宅内設備機器集中管理装置２０との間で、熱交換換気装置３０の制御または監視に必要な各種情報の通信を、宅内通信ライン７０を介して行う。
【００３５】
制御部３６は、熱交換換気装置３０の全体の動作を制御する。
【００３６】
熱交換換気装置３０は、通常、在室者が居ない場合および夜間においても小風量で常時換気、すなわち２４時間換気が行われる２４時間換気システムである。ここで、２４時間換気システムとは、室内の空気をファンなどの機械を使って小風量で計画的に入れ替え、常に新鮮な空気を維持するシステムである。２４時間換気は、住宅内から発生するＶＯＣ（Volatile  Organic  Compounds）を排出することを目的としている。排気側送風機３２と給気側送風機３３とを同時に運転することで、外気と室内空気との熱交換により室温に近づけられた外気が第２給気風路部を介して、寝室、子供部屋、リビングダイニングキッチンなどの建物内の各室内へ給気される。すなわち、室温に近づけられた新鮮な空気が各室内へ継続的に給気される。以下では、リビングダイニングキッチン１０４をＬＤＫ１０４と記載する場合がある。
【００３７】
シャッター付き吸気部４０は、回転数低減指示情報に基づいて熱交換換気装置３０が給気側送風機３３の回転数を低減して給気「弱」運転を行う場合に、建物内の給気を補足する機能を有している。すなわち、回転数低減指示情報に基づいて熱交換換気装置３０の給気側送風機３３が給気「弱」運転を行う場合でも、排気側送風機３２の回転数は低減させないため、建物内から建物外への排気風量が、建物外から建物内への給気風量よりも多くなる。この場合に、シャッター付き吸気部４０での給気を行うことで、建物内への給気を補って建物の給排気バランスを保つことができる。
【００３８】
シャッター付き吸気部４０は、吸気口４１と、開閉処理部４２と、通信部４３と、制御部４４とを有する。吸気口４１は、建物内の給排気のバランスを保つため、たとえばリビングまたはキッチンなどのスペースの壁に設置され、外気、すなわち新鮮な空気を建物の室内に給気するための吸気口である。開閉処理部４２は、シャッターを開閉することによって吸気口４１を開放または閉鎖して、室内の気圧による自然給気の実施または停止を制御する。通信部４３は、宅内設備機器集中管理装置２０との間で、シャッター付き吸気部４０の制御に必要な各種情報の通信を、宅内通信ライン７０を介して行う。制御部４４は、シャッター付き吸気部４０の全体の動作を制御する。
【００３９】
宅内無線ライン５０は、遠隔操作機器１０と宅内設備機器集中管理装置２０との間で、宅内設備機器の制御または監視に必要な各種情報の通信を行うための建物内無線通信回線である。
【００４０】
公共無線ライン６０は、遠隔操作機器１０と宅内設備機器集中管理装置２０との間で宅内設備機器の制御または監視に必要な各種情報の通信を行うための公衆無線通信回線である。
【００４１】
宅内通信ライン７０は、宅内設備機器集中管理装置２０と、熱交換換気装置３０およびシャッター付き吸気部４０などの宅内設備機器との間で、宅内設備機器の制御または監視に必要な各種情報の通信を行うための建物内通信回線である。宅内通信ライン７０は、有線方式の通信回線であってもよく、また無線方式の通信回線であってもよい。
【００４２】
上記のように構成された本実施の形態にかかる換気システムでは、熱交換換気装置３０が既定の第１の回転数で通常の常時換気運転を行っている状態において、熱交換換気装置３０の給気側送風機３３が、第１の回転数よりも低い回転数である第２の回転数での給気「弱」運転を実施するように自動的に制御される。すなわち、本実施の形態にかかる換気システムでは、熱交換換気装置３０が既定の第１の風量で通常の常時換気運転を行っている状態において、熱交換換気装置３０の給気側送風機３３が、第１の風量よりも少ない風量である第２の風量での給気「弱」運転を実施するように自動的に制御される。
【００４３】
また、熱交換換気装置３０の給気側送風機３３は、第２の回転数で給気「弱」運転を行っている状態において、第１の回転数での通常の常時換気の給気運転に復帰するように自動的に制御される。すなわち、熱交換換気装置３０の給気側送風機３３は、第２の風量で給気「弱」運転を行っている状態において、第１の風量での通常の常時換気の給気運転に復帰するように自動的に制御される。
【００４４】
したがって、熱交換換気装置３０の給気側送風機３３の回転数を低減した、すなわち給気側送風機３３の給気風量を低減した給気「弱」運転を行うことによって、たとえば夜間における熱交換換気装置３０の給気側送風機３３の給気運転騒音の軽減が可能となる。また、夜間に熱交換換気装置３０の給気側送風機３３の給気運転の回転数を下げることによって、給気側送風機３３の消費電力を抑えることができ、省エネルギー効果を得ることができる。
【００４５】
次に、本実施の形態にかかる換気システムが一般家庭住宅に適用された場合の該換気システムの動作の例について説明する。図２は、本実施の形態にかかる換気システムの一般家庭住宅における構成例を示す図である。図２においては、熱交換換気装置によって常時換気が行われている状態で夜間に熱交換換気装置３０における熱交換給気の給気風量を低減した運転を行っている状態を示している。図２において、矢印は空気の流れを示しており、矢印の大きさは風量を表している。図３は、本実施の形態にかかる換気システムの通信網を示す図である。
【００４６】
図２において、住宅の１階の浴室１０２の天井裏２００には、サニタリーゾーンであるトイレ１０１、浴室１０２および洗面所１０３の空気の排気を行う排気装置であるサニタリー排気装置２１０が配置されている。サニタリー排気装置２１０は、浴室１０２の天井を介して浴室１０２に連通している。また、サニタリー排気装置２１０は、建物の外部まで配設されて建物外に連通したダクトからなる第１排気風路部１１１に接続されている。また、サニタリー排気装置２１０は、トイレ１０１および洗面所１０３まで配設されて該トイレ１０１および洗面所１０３に連通したダクトからなる第２排気風路部１１２に接続されている。
【００４７】
サニタリー排気装置２１０は、トイレ１０１と浴室１０２と洗面所１０３とに連通しており、トイレ１０１と浴室１０２と洗面所１０３とからの総排気風量を一定の風量として、同時に一括してトイレ１０１と浴室１０２と洗面所１０３とから排気を行う。
【００４８】
住宅の１階の玄関廊下１０５の天井裏２００には、熱交換換気装置３０ａが配置されている。熱交換換気装置３０ａは、建物の外部まで配設されて建物外に連通したダクトからなる第１給気風路部１２１に接続されている。また、熱交換換気装置３０ａは、リビングダイニングキッチン１０４および図示しない１階の他の室内まで配設されて該リビングダイニングキッチン１０４および図示しない１階の他の室内に連通したダクトからなる第２給気風路部１２２に接続されている。熱交換換気装置３０ａは、建物の外部まで配設されて建物外に連通したダクトからなる第３排気風路部１２３に接続されている。また、熱交換換気装置３０ａは、ＬＤＫ１０４および図示しない１階の他の室内まで配設されて該ＬＤＫ１０４および図示しない１階の他の室内に連通したダクトからなる図示しない第４排気風路部に接続されている。
【００４９】
熱交換換気装置３０ａは、上述した熱交換換気装置３０であり、熱交換器３１と、排気側送風機３２と、給気側送風機３３と、玄関廊下１０５に配置された熱交換器操作スイッチ３４と、通信部３５と、制御部３６とを有している。なお、熱交換器３１と通信部３５と制御部３６とについては、図示を省略している。
【００５０】
住宅の１階のリビングダイニングキッチン１０４の天井裏２００には、シャッター付き吸気部４０ａが配置されている。シャッター付き吸気部４０ａは、建物の外部まで配設されて建物外に連通したダクトからなる給気風路部１３１に接続されている。シャッター付き吸気部４０ａは、上述したシャッター付き吸気部４０であり、リビングダイニングキッチン１０４に外気の給気を行う。
【００５１】
住宅の１階のリビングダイニングキッチン１０４の天井裏２００には、シャッター付き吸気部４０ｂが配置されている。シャッター付き吸気部４０ｂは、天井裏２００の壁を介して建物外に連通しており、建物内に外気の給気を行う。シャッター付き吸気部４０ｂは、上述したシャッター付き吸気部４０である。
【００５２】
住宅の１階のリビングダイニングキッチン１０４には、空調設備室内機１４０ａが配置されている。空調設備室内機１４０ａは、図示しないダクトからなる風路部を介して、建物の外部に配置された図示しない空調設備室外機に接続されている。
【００５３】
住宅の１階のリビングダイニングキッチン１０４には、遠隔操作機器１０ａが配置されている。なお、遠隔操作機器１０ａは、建物内における任意の場所に移動可能とされている。遠隔操作機器１０ａは、上述した遠隔操作機器１０である。
【００５４】
建物の外部には、使用者が持ち歩く遠隔操作機器１０ｂがある。遠隔操作機器１０ｂは、建物外における任意の場所に移動可能とされている。遠隔操作機器１０ｂは、上述した遠隔操作機器１０である。
【００５５】
住宅の１階の洗面所１０３には、宅内設備機器集中管理装置２０が配置されている。
【００５６】
住宅の２階の廊下３０１の屋根裏４００には、熱交換換気装置３０ｂが配置されている。熱交換換気装置３０ｂは、建物の外部まで配設されて建物外に連通しダクトからなる第１給気風路部１２１に接続されている。また、熱交換換気装置３０ｂは、２階の居室３０２、居室３０３および居室３０４まで配設されて該居室３０２、居室３０３および居室３０４に連通しダクトからなる第２給気風路部１２２に接続されている。熱交換換気装置３０ｂは、建物の外部まで配設されて建物外に連通しダクトからなる第３排気風路部１２３に接続されている。また、熱交換換気装置３０ｂは、２階の居室３０２、居室３０３および居室３０４まで配設されて該居室３０２、居室３０３および居室３０４に連通しダクトからなる図示しない第４排気風路部に接続されている。
【００５７】
熱交換換気装置３０ｂは、上述した熱交換換気装置３０であり、熱交換器３１と、排気側送風機３２と、給気側送風機３３と、２階の廊下３０１に配置された熱交換器操作スイッチ３４と、通信部３５と、制御部３６とを有している。なお、熱交換器３１と通信部３５と制御部３６とについては、図示を省略している。
【００５８】
たとえば２階では、熱交換換気装置３０ｂによって各居室３０２，３０３，３０４に供給された空気が各居室３０２，３０３，３０４のドアのアンダーカットまたはガラリ１５０を通って廊下３０１へ流れ、廊下３０１の天井面の裏側に設置された熱交換換気装置３０ｂに吸込まれて熱交換された後に建物外へ排出される。
【００５９】
住宅の２階の居室３０４には、空調設備室内機１４０ｂが配置されている。空調設備室内機１４０ｂは、図示しないダクトからなる風路部を介して、建物の外部に配置された図示しない空調設備室外機に接続されている。
【００６０】
住宅の２階のトイレ３０５には、トイレ排気装置３１１が配置されている。トイレ排気装置３１１は、トイレ３０５の壁を介して建物外に連通しており、トイレ３０５の排気を行う。
【００６１】
また、建物の内外には、上述した宅内無線ライン５０、公共無線ライン６０および宅内通信ライン７０が備わっている。遠隔操作機器１０と宅内設備機器集中管理装置２０とは、各装置内の通信部により、宅内無線ライン５０または公共無線ライン６０を用いて通信を行うことができる。遠隔操作機器１０と宅内設備機器集中管理装置２０との通信は、各装置内の通信部により行われる。また、熱交換換気装置３０ａ、熱交換換気装置３０ｂ、シャッター付き吸気部４０ａ、シャッター付き吸気部４０ｂ、空調設備室内機１４０ａ、空調設備室内機１４０ｂおよびサニタリー排気装置２１０と、宅内設備機器集中管理装置２０とは、各装置内の通信部により、宅内通信ライン７０を用いて通信を行うことができる。
【００６２】
つぎに、図２に示すように構成される換気システムの動作について説明する。図４は、図２に示す換気システムの動作の手順を示すフローチャートである。なお、以下では、本実施の形態の特徴である、熱交換換気装置３０ａ、熱交換換気装置３０ｂ、シャッター付き吸気部４０ａおよびシャッター付き吸気部４０ｂの動作について説明する。まず、ステップＳ１０では、熱交換換気装置３０ａおよび熱交換換気装置３０ｂが通常の常時換気、すなわち２４時間換気を実施する。
【００６３】
ステップＳ２０では、遠隔操作機器１０ａが回転数変更指示情報を宅内設備機器集中管理装置２０に送信する。すなわち、遠隔操作機器１０ａは、使用者により該遠隔操作機器１０ａに入力された、熱交換換気装置３０ａおよび熱交換換気装置３０ｂについての回転数変更指示情報を、宅内無線ライン５０を介して宅内設備機器集中管理装置２０に送信する。また、遠隔操作機器１０ｂが、使用者により該遠隔操作機器１０ｂに入力された回転数変更指示情報を、公共無線ライン６０を介して宅内設備機器集中管理装置２０に送信してもよい。回転数変更指示情報には、回転数低減指示情報および回転数復帰指示情報が含まれる。なお、回転数低減指示情報および回転数復帰指示情報を個別に送信する形態とされてもよい。そして、宅内設備機器集中管理装置２０は、熱交換換気装置３０ａおよび熱交換換気装置３０ｂについての回転数変更指示情報を受信すると、制御部２２が該回転数変更指示情報を保持する。
【００６４】
図５は、遠隔操作機器１０ａによる換気システムの給気「弱」運転の設定方法を示す図である。ここで行う設定は、回転数変更指示情報の設定である。回転数変更指示情報を宅内設備機器集中管理装置２０に保持させて給気「弱」運転の設定を行うことで、熱交換換気装置３０ａおよび熱交換換気装置３０ｂは、常時換気の実施中に熱交換給気の風量を低減した給気「弱」運転モードに確実に移行し、さらに通常の常時換気に復帰することができる。したがって、熱交換換気装置３０ａおよび熱交換換気装置３０ｂにおける常時換気が確実に継続される。たとえば住宅の引渡し時に回転数変更指示情報の設定をしておくことで、住み始め時から給気「弱」運転モードを活用することができる。
【００６５】
図５に示すように、遠隔操作機器１０ａにおいて熱交換換気装置の設定画面５００が表示される。使用者は、まず、熱交換換気装置３０ａの給気の弱運転機能を使用するか否かを、熱交換換気装置の設定画面５００の給気「弱」運転機能の選択欄５１１において設定する。弱運転機能は、熱交換換気装置３０ａが上述した第２の風量での熱交換給気運転を行う機能である。
【００６６】
弱運転機能を使用する場合には、給気「弱」運転機能の選択欄５１１において「あり」を選択する。熱交換換気装置３０ａの入力部１１と表示部１２とはたとえばタッチパネルにより構成され、該タッチパネルを用いて情報の入力が可能である。給気「弱」運転機能の選択欄５１１において「あり」を設定することで、給気「弱」運転時の通知の設定欄５１２、給気「弱」運転の＜開始＞設定時刻の設定欄５１３および給気「弱」運転の＜終了＞設定時刻の設定欄５１５が表示される。
【００６７】
給気「弱」運転時の通知の設定欄５１２において「あり」を選択した場合は、熱交換換気装置３０ａの給気側送風機３３の回転数を下げた際、すなわち給気側送風機３３の風量を下げた際に、給気「弱」運転中である旨を宅内設備機器集中管理装置２０が介して遠隔操作機器１０ａに通知する。使用者は、該通知を見ることで、熱交換換気装置３０ａが「弱」運転中であることを確認できる。
【００６８】
熱交換換気装置３０ｂについても、図５に示す熱交換換気装置の設定画面５００において回転数変更指示情報を入力できる。また、遠隔操作機器１０ｂにおいても、図５に示す熱交換換気装置の設定画面５００において熱交換換気装置３０ａおよび熱交換換気装置３０ｂの回転数変更指示情報を入力できる。熱交換換気装置３０ａの回転数変更指示情報と熱交換換気装置３０ｂについての回転数変更指示情報とは、異なる条件であってもよい。
【００６９】
給気「弱」運転の＜開始＞設定時刻の設定欄５１３では、回転数低減開始時刻を設定する。すなわち、給気「弱」運転の＜開始＞設定時刻の設定欄５１３では、熱交換換気装置３０ａの給気側送風機３３の回転数を弱にする、すなわち給気側送風機３３の回転数を上述した第２の回転数に切り替える時刻を選択する。給気「弱」運転の＜開始＞設定時刻の設定欄５１３で設定された回転数低減開始時刻に、熱交換換気装置３０ａの給気側送風機３３が「弱」の回転数で、すなわち常時換気運転時よりも少ない回転数で、給気「弱」運転が開始する。
【００７０】
さらに、給気「弱」運転の＜終了＞設定時刻の設定欄５１５では、回転数復帰時刻を設定する。すなわち、給気「弱」運転の＜終了＞設定時刻の設定欄５１５では、熱交換換気装置３０ａの給気側送風機３３の回転数を元の回転数に戻す、すなわち常時換気運転時の回転数に戻す時刻を選択する。熱交換換気装置３０ａの給気側送風機３３は、給気「弱」運転の＜終了＞設定時刻の設定欄５１５で設定された回転数復帰時刻に、回転数を元の回転数に復帰させ、すなわち風量を元の風量に復帰させて、例えば給気「強」運転が開始する。
【００７１】
給気「弱」運転の＜開始＞設定時刻の設定欄５１３および給気「弱」運転の＜終了＞設定時刻の設定欄５１５は、それぞれの下部領域に表示される時刻選択欄５１４により設定時間を選択できる。
【００７２】
また、図６に示すように、熱交換換気装置の設定画面５００において、給気「弱」運転の＜終了＞設定時刻の設定欄５１５の代わりに、給気「弱」運転の継続時間の設定欄５１６を設けてもよい。図６は、熱交換換気装置の設定画面５００の他の構成例を示す図である。給気「弱」運転の継続時間の設定欄５１６では、回転数低減継続時間が設定される。すなわち、給気「弱」運転の継続時間の設定欄５１６では、給気「弱」運転の＜開始＞設定時刻の設定欄５１３で設定された時刻に給気側送風機３３が給気「弱」運転を開始してからの、給気「弱」運転の継続時間が設定される。熱交換換気装置３０ａの給気側送風機３３は、給気「弱」運転の開始後、給気「弱」運転の継続時間の設定欄５１６に設定した回転数低減継続時間の経過後に、回転数を元の回転数に復帰させ、すなわち給気側送風機３３の風量を元の風量に復帰させて、例えば給気「強」運転を開始する。
【００７３】
ステップＳ３０では、熱交換換気装置３０ａおよび熱交換換気装置３０ｂが、設定時刻に給気「弱」運転を開始する。すなわち、宅内設備機器集中管理装置２０が、回転数変更指示情報の回転数低減指示情報に基づいて、熱交換換気装置３０ａおよび熱交換換気装置３０ｂに対して回転数低減制御を、回転数低減指示情報に含まれる給気「弱」運転の＜開始＞設定時刻、すなわち回転数低減開始時刻に行う。該回転数低減制御により、熱交換換気装置３０ａおよび熱交換換気装置３０ｂは、給気「弱」運転を開始する。
【００７４】
すなわち、熱交換換気装置３０ａおよび熱交換換気装置３０ｂは、既定の第１の風量で通常の常時換気運転を行っている状態において、給気側送風機３３が第２の回転数での給気「弱」運転を自動的に実施可能である。換言すると、熱交換換気装置３０ａおよび熱交換換気装置３０ｂは、第１の回転数で通常の常時換気運転を行っている状態において、給気側送風機３３が第２の風量での給気「弱」運転を自動的に実施可能である。
【００７５】
ステップＳ４０では、シャッター付き吸気部４０が給気を開始する。すなわち、宅内設備機器集中管理装置２０が、回転数変更指示情報に基づいて、回転数低減開始時刻にシャッター付き吸気部４０のシャッターを開く制御を行う。これにより、シャッター付き吸気部４０は、吸気口４１を介して室内に外気の給気を行う。すなわち、熱交換換気装置３０ａおよび熱交換換気装置３０ｂが給気「弱」運転を開始すると同時に、シャッター付き吸気部４０は給気を開始する。これにより、建物全体の給気を補って、熱交換換気装置３０ａおよび熱交換換気装置３０ｂにおける給気「弱」運転に起因して建物内の吸排気のバランスが崩れることを抑制できる。なお、シャッター付き吸気部４０は、熱交換換気装置３０ａおよび熱交換換気装置３０ｂが給気「弱」運転を開始する際にすでに給気を行っている場合には、給気を継続する。
【００７６】
ステップＳ５０では、熱交換換気装置３０ａおよび熱交換換気装置３０ｂが、設定時刻に給気「弱」運転を終了し、通常の常時換気における給気運転を開始する。すなわち、宅内設備機器集中管理装置２０が、回転数変更指示情報の回転数復帰指示情報に基づいて、熱交換換気装置３０ａおよび熱交換換気装置３０ｂに対して回転数復帰制御を、回転数復帰指示情報に含まれる給気「弱」運転の＜終了＞設定時刻、すなわち回転数復帰時刻に行う。該回転数復帰制御により、熱交換換気装置３０ａおよび熱交換換気装置３０ｂは、給気「弱」運転を終了し、通常の常時換気における給気運転を開始する。
【００７７】
すなわち、熱交換換気装置３０ａおよび熱交換換気装置３０ｂは、給気側送風機３３が第２の回転数で給気「弱」運転を行っている状態において、第１の回転数での通常の常時換気の給気運転に自動的に復帰可能である。換言すると、熱交換換気装置３０ａおよび熱交換換気装置３０ｂは、給気側送風機３３が第２の風量で給気「弱」運転を行っている状態において、第１の風量での通常の常時換気の給気運転に自動的に復帰可能である。
【００７８】
ステップＳ６０では、シャッター付き吸気部４０が給気を停止する。すなわち、宅内設備機器集中管理装置２０が、回転数変更指示情報の回転数復帰指示情報に基づいて、回転数復帰時刻にシャッター付き吸気部４０のシャッターを閉じる制御を行う。これにより、シャッター付き吸気部４０は、吸気口４１を介した室内への外気の給気を停止する。すなわち、熱交換換気装置３０ａおよび熱交換換気装置３０ｂが給気「弱」運転を開始すると同時に、シャッター付き吸気部４０は給気を停止する。これにより、熱交換換気装置３０ａおよび熱交換換気装置３０ｂが通常の常時換気の給気運転に移行することに起因して建物内の吸排気のバランスが崩れることを抑制できる。なお、宅内設備機器集中管理装置２０は、熱交換換気装置３０ａおよび熱交換換気装置３０ｂが給気「弱」運転を開始する際にシャッター付き吸気部４０がすでに給気を行っていた場合には、熱交換換気装置３０ａおよび熱交換換気装置３０ｂが給気「弱」運転を終了しても給気を継続するように制御する。
【００７９】
なお、上記においては宅内設備機器集中管理装置２０が、回転数変更指示情報に基づいて熱交換換気装置３０ａ、熱交換換気装置３０ｂおよびシャッター付き吸気部４０を制御する場合について説明したが、宅内設備機器集中管理装置２０の代わりに熱交換換気装置３０ａ、熱交換換気装置３０ｂおよびシャッター付き吸気部４０のそれぞれが回転数変更指示情報に基づいて上述した制御を行ってもよい。熱交換換気装置３０ａ、熱交換換気装置３０ｂおよびシャッター付き吸気部４０は、宅内設備機器集中管理装置２０から回転数変更指示情報を取得すればよい。
【００８０】
上述したように、本実施の形態にかかる換気システムでは、熱交換換気装置３０が既定の第１の回転数で通常の常時換気運転を行っている状態において、熱交換換気装置３０の給気側送風機３３が、第１の回転数よりも低い回転数である第２の回転数での給気「弱」運転を自動的に実施可能である。すなわち、本実施の形態にかかる換気システムでは、熱交換換気装置３０が既定の第１の風量で通常の常時換気運転を行っている状態において、熱交換換気装置３０の給気側送風機３３が、第１の風量よりも少ない風量である第２の風量での給気「弱」運転を自動的に実施可能である。
【００８１】
また、熱交換換気装置３０の給気側送風機３３は、第２の回転数で給気「弱」運転を行っている状態において、第１の回転数での通常の常時換気の給気運転に自動的に復帰可能である。すなわち、熱交換換気装置３０の給気側送風機３３は、第２の風量で給気「弱」運転を行っている状態において、第１の風量での通常の常時換気の給気運転に自動的に復帰可能である。
【００８２】
したがって、本実施の形態にかかる換気システムによれば、建物内の２４時間換気における給気の運転音を抑制可能な換気システムを実現することができる。これにより、夜間に寝室などの建物内の室内で聞こえる給気運転音を低減させ、睡眠中の不快感を解消し、快適な住宅環境を提供することができる。また、夜間に熱交換換気装置３０の給気側送風機３３の給気運転の風量を下げることによって、給気側送風機３３の消費電力を抑えることができ、省エネルギー効果を得ることができる。
【産業上の利用可能性】
【００８３】
以上のように、本発明にかかる換気システムは、夜間における寝室または子供部屋などの個室のように静かな空間における給気の運転騒音の低減に有用である。
【符号の説明】
【００８４】
１０，１０ａ，１０ｂ  遠隔操作機器、１１  入力部、１２  表示部、１３  通信部、１４  制御部、２０  宅内設備機器集中管理装置、２１  通信部、２２  制御部、２３  給気側送風機、３０，３０ａ，３０ｂ  熱交換換気装置、３１  熱交換器、３２  排気側送風機、３３  給気側送風機、３４  熱交換器操作スイッチ、３５  通信部、３６  制御部、４０，４０ａ，４０ｂ  シャッター付き吸気部、４１  吸気口、４２  開閉処理部、４３  通信部、４４  制御部、５０  宅内無線ライン、６０  公共無線ライン、７０  宅内通信ライン、１０１  トイレ、１０２  浴室、１０３  洗面所、１０４  リビングダイニングキッチン、１０５  玄関廊下、１１１  第１排気風路部、１１２  第２排気風路部、１２１  第１給気風路部、１２２  第２給気風路部、１２３  第３排気風路部、１３１  給気風路部、１４０ａ，１４０ｂ  空調設備室内機、１５０  ガラリ、２００  天井裏、２１０  サニタリー排気装置、３０１  廊下、３０２，３０３，３０４  居室、３０５  トイレ、３１１  トイレ排気装置、４００  屋根裏、５００  設定画面、５１１  給気「弱」運転機能の選択欄、５１２  給気「弱」運転時の通知の設定欄、５１３  給気「弱」運転の＜開始＞設定時刻の設定欄、５１４  時刻選択欄、５１５  給気「弱」運転の＜終了＞設定時刻の設定欄、５１６  給気「弱」運転の継続時間の設定欄。
【図１】
2016020780.tif 000003
【図２】
2016020780.tif 000004
【図３】
2016020780.tif 000005
【図４】
2016020780.tif 000006
【図５】
2016020780.tif 000007
【図６】
2016020780.tif 000008